(57)【要約】【課題】  地震の揺れによるスプリンクラーヘッドへのダメージを緩和できるスプリンクラーヘッド用シーリングプレートを提供する。【解決手段】  スプリンクラーヘッドＳの外周面と係合可能な筒部２と、筒部２の下端に外方へ拡張して形成されたプレート部３とを備えており、筒部２の外周面には外方へ拡張して形成された複数のフィン４ａ〜４ｃが形成され、プレート部３およびフィン４ａ〜４ｃをエラストマー素材から構成した。【選択図】    図１
2014161395.tif 000002
【特許請求の範囲】
【請求項１】
スプリンクラーヘッドの外周面と係合可能な筒部と、筒部の下端に外方へ拡張して形成されたプレート部とを備え、筒部の外周面には外方へ拡張して形成されたフィンが形成され、プレート部およびフィンがエラストマー素材からなることを特徴とするスプリンクラーヘッド用シーリングプレート。
【請求項２】
エラストマー素材は耐熱ゴムである請求項１記載のスプリンクラーヘッド用シーリングプレート。
【請求項３】
フィンは層状に複数形成されている請求項１または請求項２記載のスプリンクラーヘッド用シーリングプレート。
【請求項４】
フィンの先端はプレート部の外径よりも小さく、且つ天井穴径よりも大きく形成した請求項１〜請求項３何れか１項記載のスプリンクラーヘッド用シーリングプレート。
【請求項５】
フィンが形成された筒部の内側に突起を形成した請求項１〜請求項４何れか１項記載のスプリンクラーヘッド用シーリングプレート。
【請求項６】
フィンまたは筒部に切欠きを形成した請求項１〜請求項５何れか１項記載のスプリンクラーヘッド用シーリングプレート。
【発明の詳細な説明】
【技術分野】
【０００１】
本発明は、天井面や壁面に設置されるスプリンクラーヘッドに装着されるシーリングプレート関するものである。
【背景技術】
【０００２】
スプリンクラーヘッドは建物の天井面や壁面に設置され、一端には給水源に続いた配管と接続可能なノズルを有し、他端には火災の熱によって分解作動する感熱分解部が設けられている。平時においてノズルは感熱分解部によって支持された弁体により閉塞されている。
【０００３】
上記スプリンクラーヘッドの一例として天井面に埋め込まれて設置されたフラッシュ型スプリンクラーヘッドがある（図４参照）。フラッシュ型スプリンクラーヘッド１０の感熱分解部１１は天井面より下方に突出して設置され、ノズル１２は天井裏の配管Ｐ（二点鎖線にて図示）に接続されている。天井１３にはスプリンクラーヘッド１０の感熱分解部１１を室内側に突出して設置させるための貫通穴１４が穿設されている。
【０００４】
ここで貫通穴１４とスプリンクラーヘッド１０の間に隙間が生じるが、この隙間はシーリングプレート１５により覆い隠される。シーリングプレート１５は筒部１６と筒部の下端に形成されたプレート部１７からなり、筒部１６の内部とスプリンクラーヘッド１０の外部が係合している。
【０００５】
シーリングプレート１５をスプリンクラーヘッド１０へ装着する手順は、スプリンクラーヘッド１０が挿通されている貫通穴１４にシーリングプレート１５の筒部１６を挿通させる。そのとき筒部１６の内部にはスプリンクラーヘッド１０を挿通させる。シーリングプレート１５を上方に移動させると、筒部１６の内部の突起１６Ａがスプリンクラーヘッド１０の外周面に設置された係合溝１８と係合する。さらにシーリングプレート１５を上方に移動させ、プレート部１７が天井１３の表面に接する位置までシーリングプレート１５を移動させる。これで装着が完了し、貫通穴１４がプレート部１７によって隠される。上記のシーリングプレート１５の一例として特許文献１に記載のものがある。
【０００６】
上記のシーリングプレートは地震の振動で天井面や天井穴と衝突してスプリンクラーヘッドから脱落したり、シーリングプレートが破損してしまうものがあった。特に大地震のときにはシーリングプレートだけでなくスプリンクラーヘッドもダメージを受けて漏れや不時放水等が発生したケースがあった。この地震の揺れによるシーリングプレートの落下を防止してスプリンクラーヘッドへのダメージを低減できるシーリングプレートがある（例えば、特許文献２参照）。
【０００７】
特許文献２のシーリングプレートは、シーリングプレートが２つの筒部材から構成されている。シーリングプレートの第一筒部材を天井裏に配置させ、第二筒部材を天井の室内側から第一筒部材へ組付けることで２つの筒部材で天井を挟持する構造となっている。２つの筒部材の内部にはスプリンクラーヘッドが挿通されており、地震によって天井が揺れてもシーリングプレートが緩衝材として作用してスプリンクラーヘッドへのダメージを低減させることができる。
【先行技術文献】
【特許文献】
【０００８】
【特許文献１】実開昭５９−１１４１５２号公報
【特許文献２】特開平９−１０８３７８号公報
【発明の概要】
【発明が解決しようとする課題】
【０００９】
しかしながら、特許文献２のシーリングプレートは、シーリングプレートを２部材から構成したことで施工の手間が増える問題がある。具体的にはスプリンクラーヘッドを配管に接続した後、第一筒部材をスプリンクラーヘッドに設置してから天井を施工しなければならない。また第一筒部材の下面が天井と接するように位置調整が必要であった。そのため実用には至らなかった。
【００１０】
そこで本発明では、上記問題に鑑み、地震の揺れによるスプリンクラーヘッドへのダメージを緩和できるとともに、施工性の良いスプリンクラーヘッド用シーリングプレートを提供することを目的としている。
【課題を解決するための手段】
【００１１】
上記の目的を達成するために、本発明は以下のスプリンクラーヘッド用シーリングプレートを提供する。
すなわち、スプリンクラーヘッドの外周面と係合可能な筒部と、筒部の下端に外方へ拡張して形成されたプレート部からなり、筒部の外周面には外方へ拡張して形成された複数のフィンが形成され、プレート部およびフィンをエラストマー素材から構成した。
これによれば、プレート部が天井ボードの室内側に接するように配置され、エラストマー素材から構成されたフィンは変形して天井穴を通過して天井ボードの裏面の上に配置される。フィンは複数形成されており、天井穴の内側に配置されたフィンは屈曲して弾性変形した状態で天井穴の内面に係止される。また弾性変形したフィンの弾性力により筒部の内側に向かって力が作用し、この力によりシーリングプレートの筒部とスプリンクラーヘッドの外周面が係合する。
【００１２】
地震が起こると先に縦揺れが生じて続いて横揺れが発生する。縦揺れのときシーリングプレートはプレート部とフィンで天井ボードを上下から挟む構成となっているので、シーリングプレートが外れることを防止できる。続いて横揺れが発生したときは天井穴の内側に配置されたフィンが天井ボードとスプリンクラーヘッドが衝突する際の衝撃を緩和する。
【００１３】
また本発明のシーリングプレートは、先に説明した特許文献２の２部材から成るシーリングプレートと比較して施工性が改善されたものであり、通常使用されている特許文献１と同様のシーリングプレートのようにスプリンクラーヘッドを配管に接続して天井を貼った後に、室内側からスプリンクラーヘッドへ装着させることで設置可能であることから施工の手間は増えず、通常使用しているシーリングプレートと同様に取り扱うことが可能である。
【発明の効果】
【００１４】
本発明によれば、地震の揺れによるスプリンクラーヘッドへのダメージを緩和でき、尚且つ施工性の良いスプリンクラーヘッド用シーリングプレートを提供することができる。
【図面の簡単な説明】
【００１５】
【図１】本発明のシーリングプレートをスプリンクラーヘッドに装着した状態の断面図
【図２】分図（ａ）は本発明のシーリングプレートの断面図、分図（ｂ）は分図（ａ）の平面図
【図３】分図（ａ）は本発明のシーリングプレートの筒部外周側の展開図、分図（ｂ）は分図（ａ）の変形例
【図４】従来のシーリングプレートの断面図
【発明を実施するための最良の形態】
【００１６】
図１に示すシーリングプレート１は筒部２とプレート部３とを備えており、スプリンクラーヘッドＳに装着されている。
【００１７】
シーリングプレート１はエラストマー素材から形成されており、具体的には耐熱ゴムであるシリコンゴムやフッ素ゴムにより形成される。これにより火災時にスプリンクラーヘッドが作動する前の段階でシーリングプレートが軟化・溶融して変形してしまうことを防止できる。
【００１８】
筒部２は円筒状であり、内部にはスプリンクラーヘッドＳが挿通され、スプリンクラーヘッドＳの外周面と係合される。筒部２には所定間隔で切欠き２ａが形成されており、スプリンクラーヘッドＳを下端から筒部２の内部に挿通する際に筒部２が外側に弾性変形して容易に挿通しやすくしている。
【００１９】
筒部２の内周面には球状の突起２ｂが複数形成されている。突起２ｂは後述するフィン４の位置に対応して設置されている。
【００２０】
筒部２の外周面には外方へ拡張して形成された複数のフィン４が設けられている。フィン４は筒部２の外周面上に均等間隔で５箇所に層状に設置されており、図１においては上段４ａ、中段４ｂ、下段４ｃのフィンを備えている。上段のフィン４ａは天井ボードＣの裏側に配置される。中段のフィン４ｂ、下段のフィン４ｃは天井穴Ｃ１内部に配置され、屈曲変形した状態にある。この弾性変形したフィン４ｂ、４ｃの弾性力により筒部２の内側に向かって力が作用する。またフィン４ｂ、４ｃに対応した位置に配置された突起２ｂに、前述の弾性力が作用して突起２ｂがスプリンクラーヘッドＳの外周面側に押圧されてシーリングプレート１がスプリンクラーヘッドＳに係合する。
【００２１】
各フィン４ａ〜４ｃの先端部４ｄはプレート部３の外周よりも内側に配置されている。また先端部４ｄは天井ボードＣの穴Ｃ１よりも大きく形成されている。具体的には図２（ａ）に二点鎖線で示す穴Ｃ１の輪郭よりも先端部４ｄが外側に形成されている。
【００２２】
図３（ａ）では各フィン４ａ〜４ｃの大きさや形状が略同じに形成されており、同じ位置に重なり合うように配置されているが、これに限らず図３（ｂ）に示すように上段、中段、下段の位置をずらして配置することも可能である。
【００２３】
また、上段４ａの先端部のみ中段４ｂや下段４ｃよりも外方へ突出して形成することもできる。さらに、フィン４ａ〜４ｃの先端部に切欠きを形成することで先端部を弾性変形しやすく形成することも可能であり、これによりシーリングプレート１の着脱が容易になる。
【００２４】
プレート部３はリング状をしており筒部２の下端から外方へ拡張して形成されている。プレート部３の表面にはテーパー３ａが形成されており、内部側に比べて外縁側が薄く形成されている。
【００２５】
プレート部３の裏面３ｂは天井ボードＣの下面と平行に形成されている。裏面３ｂと筒部２の外周面との境は円弧形状のアール部３ｃとなっており、エラストマー素材から形成されたプレート部３の形状が崩れないようにある程度の強度を持たせる構造となっている。
【００２６】
アール部３ｃに代えて、図１や図２（ａ）にて点線で示すようにプレート部３の厚さを略均一にして部分的に支持部３ｄを形成することもできる。
【００２７】
プレート部３は弾性変形可能であり、これによって天井の形状がアーチ型に湾曲している場合でもプレート部３と天井面との間に隙間が生じないように設置することができる。
【００２８】
続いて本発明のシーリングプレートをスプリンクラーヘッドに装着する手順について説明する。
【００２９】
本発明のシーリングプレート１が装着されるスプリンクラーヘッドＳは上端部が天井ボードＣの裏面（天井裏）に配置され、給水配管Ｐと接続されている。下端部は天井ボードＣの天井穴Ｃから室内側に突出して配置されている。シーリングプレート１はスプリンクラーヘッドＳの下端側から筒部２を挿通させてスプリンクラーヘッドＳの外周面と係合させる。
【００３０】
シーリングプレート１をスプリンクラーヘッドＳに装着させる際に、フィン４が天井穴Ｃ１内に変形しながら挿通され、上段のフィン４ａは天井ボードＣの裏面側に抜けて配置される。上段のフィン４ａの先端は天井穴Ｃ１の穴径よりも大きいのでシーリングプレート１を図中下方に引き抜こうとした場合にフィン４ａの下面が天井ボートＣの裏面と接触して抜きにくい構成になっている。
【００３１】
中段、下段のフィン４ｂ、４ｃは天井穴Ｃ１の内部に弾性変形した状態で配置されている。これにより、フィン４ｂ、４ｃの弾性によって筒部２の内側に向かって力が作用する。またフィン４ｂ、４ｃに対応した位置に配置された突起２ｂには、前述の弾性力が作用して突起２ｂがスプリンクラーヘッドＳの外周面側に押圧されてシーリングプレート１がスプリンクラーヘッドＳに密着する。また筒部２に形成した切欠き２ａによって筒部２が内側に弾性変形しやすくしている。
【００３２】
プレート部３の裏面３ｂが天井ボードＣの下面に接するようにシーリングプレート１の位置を調整すればスプリンクラーヘッドＳへの装着が完了する。
【００３３】
次に、地震が発生したときの本発明のシーリングプレートの作用について説明する。
【００３４】
まず地震が発生すると先に縦揺れが発生する。縦揺れのときシーリングプレート１は上段のフィン４ａとプレート部３によって天井ボードＣを挟持しており、縦揺れによってスプリンクラーヘッドＳに対して天井ボードＣが上下に震動してもプレート部３およびフィン４ａが弾性変形するので縦揺れによってシーリングプレート１がスプリンクラーヘッドＳから外れることを防止している。またフィン４ｂ、４ｃは天井ボードＣの穴Ｃ１の内面を押圧しているので天井ボードＣの上下の振動を緩和する作用を有する。
【００３５】
縦揺れに続いて横揺れが発生したとき、天井ボードＣが揺れてスプリンクラーヘッドＳが挿通されている穴１の内面がシーリングプレート１を介してスプリンクラーヘッドＳに衝突するおそれがある。このとき筒部２に形成されたフィン４ｂ、４ｃが緩衝材となり穴１の内面がスプリンクラーヘッドＳへ衝突したときのダメージを緩和することができる。
【００３６】
上記において、縦揺れのときにシーリングプレート１がスプリンクラーヘッドＳから外れることを防止することで、後の横揺れのときに筒部２に形成したフィン４ｂ、４ｃによって天井ボードＣの穴Ｃ１の内面がスプリンクラーヘッドＳに衝突したときのダメージを緩和することができる。
【符号の説明】
【００３７】
１    シーリングプレート  
２    筒部  
２ａ  切欠き  
２ｂ  突起  
３    プレート部  
４（４ａ、４ｂ、４ｃ）  フィン  
Ｃ    天井ボード  
Ｃ１  天井穴  
Ｓ    スプリンクラーヘッド  
【図１】
2014161395.tif 000003
【図２】
2014161395.tif 000004
【図３】
2014161395.tif 000005
【図４】
2014161395.tif 000006